(57)【要約】【課題】優れた染着除去効果を発揮できる染着除去剤及びその使用方法を提供する。【解決手段】本発明の染着除去剤は、ヘアカラーリング剤由来の染着を除染するために用いられる染着除去剤において、（Ａ）非イオン性界面活性剤、カチオン性界面活性剤、及びアニオン性界面活性剤から選ばれる少なくとも１種の界面活性剤、並びに（Ｂ）２価のヒドロキシ酸及び３価のヒドロキシ酸から選ばれる少なくとも１種の酸を１０〜５０質量％含有し、酸性であることを特徴とする。前記染着除去剤は、２５℃におけるｐＨが０．５〜５であってもよく、さらに（Ｃ）酸化剤を含有してもよい。【選択図】なし【特許請求の範囲】
【請求項１】
ヘアカラーリング剤由来の染着を除染するために用いられる染着除去剤において、
（Ａ）非イオン性界面活性剤、カチオン性界面活性剤、及びアニオン性界面活性剤から選ばれる少なくとも１種の界面活性剤、並びに（Ｂ）２価のヒドロキシ酸及び３価のヒドロキシ酸から選ばれる少なくとも１種の酸を１０〜５０質量％含有し、酸性であることを特徴とする染着除去剤。
【請求項２】
２５℃におけるｐＨが０．５〜５である請求項１に記載の染着除去剤。
【請求項３】
前記（Ａ）界面活性剤は、非イオン性界面活性剤である請求項１又は請求項２に記載の染着除去剤。
【請求項４】
さらに（Ｃ）酸化剤を含有する請求項１から請求項３のいずれか一項に記載の染着除去剤。
【請求項５】
前記ヘアカラーリング剤由来の染着は、直接染料由来の染着であって、
さらに（Ｄ）リパーゼを含有する請求項１から請求項４のいずれか一項に記載の染着除去剤。
【請求項６】
繊維素材又は衣類に適用される請求項１から請求項５のいずれか一項に記載の染着除去剤。
【請求項７】
請求項１から請求項６のいずれか一項に記載の染着除去剤の使用方法において、
前記染着除去剤を染着部に付着させる工程、１分以上放置した後、水洗いする工程を含む染着除去剤の使用方法。
【発明の詳細な説明】
【技術分野】
【０００１】
本発明は、ヘアカラーリング剤由来の染着を除染するために用いられる染着除去剤及びその使用方法に関する。
【背景技術】
【０００２】
一般にケラチン繊維の一種である毛髪を染色するためのヘアカラーリング剤としては、例えば直接染料を含有する半永久染毛料、及び酸化染料を含有する酸化染毛剤等が知られている。これらのヘアカラーリング剤は、一般的に液状、乳液状、ゲル状等の形態で、刷毛や櫛を用いて毛髪に塗布される。しかしながら、染毛処理時にヘアカラーリング剤が飛びはねたり、滴下等することにより、衣類、床等が汚れる場合がある。また、染毛処理後、日常生活において、衣類、特に衣服の襟元に色移りしたり、枕カバー等の寝具、タオル等の布製品に色移りする場合があった。
【０００３】
従来より、例えば衣類等に付着した汚れを落とすための洗浄剤として、特許文献１，２に開示されるような漂白剤が知られている。特許文献１は、過酸化水素を主成分として含有する漂白剤について開示する。特許文献２は、次亜塩素酸のアルカリ金属塩を主成分として含有する漂白剤について開示する。
【先行技術文献】
【特許文献】
【０００４】
【特許文献１】特開平５−２８７２９８号公報
【特許文献２】特開平６−１８４５９４号公報
【発明の概要】
【発明が解決しようとする課題】
【０００５】
ところが、特許文献１に開示される漂白剤は、漂白力が弱く、例えば衣類等に付着したヘアカラーリング剤由来の染着を十分に除染することができないという問題があった。一方、特許文献２に開示される漂白剤は、漂白力が強く、漂白処理により、例えば衣類等の染色を痛めるおそれがあった。
【０００６】
本発明の目的は、優れた染着除去効果を発揮できる染着除去剤及びその使用方法を提供することにある。
【課題を解決するための手段】
【０００７】
本発明は、ヘアカラーリング剤由来の染着を除染するために用いられる染着除去剤において、特定の界面活性剤及び酸を併用することにより、優れた染着除去効果を発揮できることを見出したことに基づくものである。尚、成分の含有量を示す質量％の数値は、水等の可溶化剤も含めた剤型中における数値である。また、染着除去剤のｐＨは、水等の可溶化剤も含めた剤型中における数値である。
【０００８】
上記目的を達成するために、本発明の一態様では、ヘアカラーリング剤由来の染着を除染するために用いられる染着除去剤において、（Ａ）非イオン性界面活性剤、カチオン性界面活性剤、及びアニオン性界面活性剤から選ばれる少なくとも１種の界面活性剤、並びに（Ｂ）２価のヒドロキシ酸及び３価のヒドロキシ酸から選ばれる少なくとも１種の酸を１０〜５０質量％含有し、酸性であることを特徴とする染着除去剤を要旨とする。
【０００９】
前記染着除去剤は、２５℃におけるｐＨが０．５〜５であってもよい。前記（Ａ）界面活性剤は、非イオン性界面活性剤であってもよい。さらに（Ｃ）過酸化水素を含有してもよい。前記ヘアカラーリング剤由来の染着は、直接染料由来の染着であって、さらに（Ｄ）リパーゼを含有してもよい。前記染着除去剤は、繊維素材又は衣類に適用されてもよい。本発明の別の態様では、前記染着除去剤を染着部に付着させる工程、１分以上放置した後、水洗いする工程を含む染着除去剤の使用方法を要旨とする。
【発明の効果】
【００１０】
本発明によれば、優れた染着除去効果を発揮できる。
【発明を実施するための形態】
【００１１】
以下、本発明の染着除去剤を具体化した一実施形態について説明する。本実施形態の染着除去剤は、（Ａ）特定の界面活性剤及び（Ｂ）酸を含有しており、例えばさらに（Ｃ）酸化剤、（Ｄ）リパーゼ、及びｐＨ調整剤を更に含有してもよい。
【００１２】
（Ａ）成分は、非イオン性界面活性剤、カチオン性界面活性剤、及びアニオン性界面活性剤から選ばれる少なくとも１種の界面活性剤である。（Ａ）成分は、（Ｂ）成分と併用することにより、ヘアカラーリング剤由来の染着を除染することができる。
【００１３】
非イオン性界面活性剤としては、例えばプロピレングリコールモノ脂肪酸エステル、エチレングリコールモノ脂肪酸エステル、グリセリンモノ脂肪酸エステル、ポリグリセリン脂肪酸エステル、ソルビタン脂肪酸エステル、ショ糖脂肪酸エステル、メチルグルコシド脂肪酸エステル、アルキルポリグルコシド、ポリオキシエチレン（以下、「ＰＯＥ」という）アルキルエーテル、ＰＯＥアルキルフェニルエーテル、ＰＯＥフィトステロール、ＰＯＥフィトスタノール、ＰＯＥコレステロール、ＰＯＥコレスタノール、ＰＯＥポリオキシプロピレンアルキルエーテル、ＰＯＥモノ脂肪酸エステル、ポリエチレングリコールジ脂肪酸エステル、ＰＯＥグリセリン脂肪酸エステル、ＰＯＥソルビタン脂肪酸エステル、ＰＯＥソルビトール脂肪酸エステル、ＰＯＥメチルグルコシド脂肪酸エステル、ＰＯＥヒマシ油・硬化ヒマシ油、ＰＯＥ動植物油、ＰＯＥアルキルエーテル脂肪酸エステル、ＰＯＥポリオキシプロピレングリコール、ＰＯＥアルキルアミン、ＰＯＥ脂肪酸アミド、アルキルジエタノールアミド、アルキルアミンオキシド、ＰＯＥアルキルメルカプタン、アルキルグルコシド等が挙げられる。
【００１４】
非イオン性界面活性剤を構成するアルキル基の炭素数としては、特に限定されないが、好ましくは１２〜２４、より好ましくは１２〜２０、さらに好ましくは１２〜１８である。また、非イオン性界面活性剤を構成するエチレンオキシ基の付加モル数は、特に限定されないが、好ましくは１〜５０、より好ましくは１〜３０、さらに好ましくは１〜１０である。
【００１５】
非イオン性界面活性剤のＨＬＢ（hydrophile-lipophile balance）は、特に限定されないが、好ましくは４〜１８、より好ましくは６〜１６、さらに好ましくは８〜１２である。尚、ＨＬＢ（hydrophile-lipophile balance）は、Ｗ．Ｃ．Ｇｒｉｆｆｉｎによって考えられ、非イオン性界面活性剤に対して与えられた数値であり、非イオン性界面活性剤の親油基（アルキル基）と親水基（酸化エチレン鎖）との強さのバランスを数字で表したものである。ＨＬＢ値は、乳化法から算出した実測値が用いられる（「ハンドブック−化粧品・製剤原料−」日光ケミカルズ株式会社（昭和５２年２月１日改訂版発行）参照）。実測ＨＬＢ値の測定には、界面活性剤の標準物質としてモノステアリン酸ソルビタン（例えば日光ケミカルズ社製のＮＩＫＫＯＬ  ＳＳ−１０、ＨＬＢ値４．７）とモノステアリン酸ポリオキシエチレンソルビタン（例えば日光ケミカルズ社製のＮＩＫＫＯＬ  ＴＳ−１０、ＨＬＢ値１４．９）を組み合わせて使用する。被乳化物には流動パラフィンを使用する。尚、流動パラフィンは種類による又はロットによる変動が考えられる場合は、その都度測定する。流動パラフィンを上記２種類の界面活性剤で乳化し、最適な界面活性剤の割合を求め、流動パラフィンの所要ＨＬＢ値（乳化されるＨＬＢ値）を求める。計算式は数式（１）に示される。
【００１６】
【数１】
2017066250.tif 000002
通常流動パラフィンの所要ＨＬＢ値は、種類及びロットにもよるが１０．１〜１０．３程度である。次に未知の界面活性剤のＨＬＢの測定は、所要ＨＬＢ値を求めた流動パラフィンを用いて測定する。未知の界面活性剤が親水性であればモノステアリン酸ソルビタンと組み合わせ、未知の界面活性剤が疎水性であればモノステアリン酸ポリオキシエチレンソルビタンと組み合わせて、上記流動パラフィンを乳化し、安定性のあるところの最適割合を求め、未知の界面活性剤のＨＬＢ値をｘとして上記数式（１）にあてはめて算出する。
【００１７】
非イオン性界面活性剤の具体例としては、例えばＰＯＥセチルエーテル、ＰＯＥステアリルエーテル、ＰＯＥベヘニルエーテル、ＰＯＥオレイルエーテル、ＰＯＥラウリルエーテル、ＰＯＥノニルフェニルエーテル、ＰＯＥオクチルフェニルエーテル、モノオレイン酸ソルビタン、セスキオレイン酸ソルビタン、トリオレイン酸ソルビタン、モノステアリン酸ソルビタン、モノパルミチン酸ソルビタン、モノラウリン酸ソルビタン、モノオレイン酸ＰＯＥソルビタン、モノステアリン酸ＰＯＥソルビタン、モノパルミチン酸ＰＯＥソルビタン、モノラウリン酸ＰＯＥソルビタン、トリオレイン酸ＰＯＥソルビタン、モノステアリン酸ＰＯＥグリセリン、モノミリスチン酸ＰＯＥグリセリン、テトラオレイン酸ＰＯＥソルビット、ヘキサステアリン酸ＰＯＥソルビット、モノラウリン酸ＰＯＥソルビット、ＰＯＥソルビットミツロウ、ＰＯＥヒマシ油、ＰＯＥ硬化ヒマシ油、モノオレイン酸ポリエチレングリコール、モノステアリン酸ポリエチレングリコール、モノラウリン酸ポリエチレングリコール、モノオレイン酸グリセリン、モノステアリン酸グリセリン、モノステアリン酸グリセリン、ＰＯＥラノリン、ＰＯＥラノリンアルコール、ＰＯＥソルビトールラノリン、ラウリン酸ジエタノールアミド、ヤシ油脂肪酸ジエタノールアミド、ＰＯＥドデシルアミン、ＰＯＥステアリルアミン、ＰＯＥオレイルアミン、ＰＯＥステアリン酸アミド、ジメチルラウリルアミンオキシド、アルキル（炭素数８〜１６）グルコシド、デシルグルコシド、ＰＯＥメチルグルコシド、ＰＯＥジオレイン酸メチルグルコシド等が挙げられる。
【００１８】
カチオン性界面活性剤の具体例としては、例えば塩化ラウリルトリメチルアンモニウム、塩化セチルトリメチルアンモニウム（セトリモニウムクロリド）、塩化ステアリルトリメチルアンモニウム（ステアルトリモニウムクロリド）、塩化アルキルトリメチルアンモニウム、塩化ジステアリルジメチルアンモニウム、塩化ベヘニルトリメチルアルミニウム（ベヘントリモニウムクロリド）、塩化ジステアリルジメチルアンモニウム（ジステアリルジモニウムクロリド）、臭化セチルトリメチルアンモニウム、臭化ステアリルトリメチルアンモニウム、エチル硫酸ラノリン脂肪酸アミノプロピルエチルジメチルアンモニウム、ステアリルトリメチルアンモニウムサッカリン、セチルトリメチルアンモニウムサッカリン、塩化メタクリロイルオキシエチルトリメチルアンモニウム、メチル硫酸ベヘニルトリメチルアンモニウム、及びクオタニウム−９１等が挙げられる。
【００１９】
アニオン性界面活性剤としては、例えばアルキルエーテル硫酸塩、アルキル硫酸塩、アルキルエーテル硫酸エステル塩、アルケニルエーテル硫酸塩、アルケニル硫酸塩、オレフィンスルホン酸塩、アルカンスルホン酸塩、飽和又は不飽和脂肪酸塩、アルキル又はアルケニルエーテルカルボン酸塩、α−スルホン脂肪酸塩、Ｎ−アシルアミノ酸型界面活性剤、リン酸モノ又はジエステル型界面活性剤、スルホコハク酸エステル、それらの誘導体等が挙げられる。これらの界面活性剤のアニオン基の対イオンの具体例としては、例えばナトリウムイオン、カリウムイオン、トリエタノールアミン等が挙げられる。より具体的には、アルキルエーテル硫酸エステル塩としては、例えばＰＯＥアルキルエーテル硫酸ナトリウムとしてのＰＯＥラウリルエーテル硫酸ナトリウム等が挙げられる。アルキル硫酸塩の具体例として、例えばラウリル硫酸ナトリウム、セチル硫酸ナトリウム等が挙げられる。アルキル硫酸塩の誘導体の具体例として、ＰＯＥラウリル硫酸ナトリウム等が挙げられる。スルホコハク酸エステルの具体例として、例えばスルホコハク酸ラウリル二ナトリウム等が挙げられる。これらの界面活性剤の具体例の内、一種のみが単独で含有されてもよいし、二種以上が組み合わされて含有されてもよい。これらの界面活性剤の中で、染着除去効果又は除染対象物の損傷抑制の効果に優れる観点から非イオン性界面活性剤が好ましく適用される。
【００２０】
染着除去剤中における（Ａ）成分の含有量の下限は、適宜設定されるが、好ましくは０．０１質量％以上、より好ましくは０．１質量％以上である。（Ａ）成分の含有量が０．０１質量％以上の場合には、特に染着除去効果をより向上させることができる。一方、（Ａ）成分の含有量の上限は、適宜設定されるが、好ましくは２５質量％以下、より好ましくは２０質量％以下である。（Ａ）成分の含有量が２５質量％以下の場合には、特に除染対象物に対する浸透性及び染着除去効果をより向上させることができる。
【００２１】
（Ｂ）成分は、２価のヒドロキシ酸及び３価のヒドロキシ酸から選ばれる少なくとも１種の酸である。２価のヒドロキシ酸の具体例としては、例えばリンゴ酸、酒石酸、マレイン酸、シトラマル酸等が挙げられる。３価のヒドロキシ酸の具体例としては、例えばクエン酸、イソクエン酸等が挙げられる。これらの酸の具体例の内、一種のみが単独で含有されてもよいし、二種以上が組み合わされて含有されてもよい。
【００２２】
染着除去剤中における（Ｂ）成分の含有量の下限は、１０質量％以上、好ましくは１５質量％以上、より好ましくは２０質量％以上である。（Ｂ）成分の含有量が１０質量％以上の場合には、特に染着除去効果をより向上させることができる。一方、（Ｂ）成分の含有量の上限は、５０質量％以下、好ましくは４５質量％以下、より好ましくは４０質量％以下である。（Ｂ）成分の含有量が５０質量％以下の場合には、特に染着除去効果をより向上させることができる。
【００２３】
染着除去剤中において、（Ａ）成分の含有量に対する（Ｂ）成分の含有量の質量比の下限は、特に限定されないが、好ましくは０．１以上、より好ましくは０．５以上である。かかる質量比を０．１以上とすることにより、染着除去効果をより向上できる。かかる質量比の上限は、特に限定されないが、好ましくは８０以下、より好ましくは７０以下である。かかる質量比を８０以下とすることにより、染着除去効果をより向上できる。
【００２４】
（Ｃ）酸化剤は、染着除去効果をより向上させる観点から配合してもよい。（Ｃ）酸化剤の具体例としては、過酸化水素、過酸化尿素、過酸化メラミン、過炭酸ナトリウム、過炭酸カリウム、過ホウ酸ナトリウム、過ホウ酸カリウム、過硫酸アンモニウム、過硫酸カリウム、過硫酸ナトリウム、過酸化ナトリウム、過酸化カリウム、過酸化マグネシウム、過酸化バリウム、過酸化カルシウム、過酸化ストロンチウム、硫酸塩の過酸化水素付加物、リン酸塩の過酸化水素付加物、ピロリン酸塩の過酸化水素付加物等が挙げられる。これらの酸化剤の具体例の内、一種のみが単独で含有されてもよいし、二種以上が組み合わされて含有されてもよい。染着除去剤中における（Ｃ）酸化剤の含有量の下限は、適宜設定されるが、好ましくは０．０１質量％以上であり、より好ましくは０．０５質量％以上、さらに好ましくは０．１質量％以上である。（Ｃ）酸化剤の含有量が０．０１質量％以上の場合、染着除去効果をより向上することができる。また、染着除去剤中における（Ｃ）酸化剤の含有量の上限は、適宜設定されるが、好ましくは１０質量％以下であり、より好ましくは７質量％以下であり、さらに好ましくは４質量％以下である。酸化剤の含有量が１０質量％以下の場合、除染対象物の損傷等をより抑制することができる。
【００２５】
酸化剤として過酸化水素を染着除去剤に配合する場合、過酸化水素の安定性を向上させるために、好ましくは、染着除去剤は、安定化剤、例えばエチレングリコールフェニルエーテル（フェノキシエタノール）、ヒドロキシエタンジホスホン酸及びその塩、ＢＨＡ、ＢＨＴ、アミノポリカルボン酸類等を含有する。ヒドロキシエタンジホスホン酸塩としては、例えばヒドロキシエタンジホスホン酸四ナトリウム、及びヒドロキシエタンジホスホン酸二ナトリウムが挙げられる。
【００２６】
（Ｄ）リパーゼは、脂質を構成するエステル結合を加水分解する酵素群を示す。本実施形態の染着除去剤は、染着除去効果をより向上させる観点から（Ｄ）リパーゼをさらに配合してもよい。（Ｄ）リパーゼにより、特に後述する直接染料由来の染着、より具体的には酸性染料由来の染着の除去効果をより向上させることができる。
【００２７】
染着除去剤中における（Ｄ）成分の含有量の下限は、適宜設定されるが、好ましくは０．０１質量％以上、より好ましくは０．１質量％以上である。（Ｄ）成分の含有量が０．０１質量％以上の場合には、特に直接染料の除去効果をより向上させることができる。一方、（Ｄ）成分の含有量の上限は、適宜設定されるが、好ましくは１０質量％以下、より好ましくは５質量％以下である。（Ｄ）成分の含有量が１０質量％以下の場合には、リパーゼの添加量当たりの染着の除去効率をより向上させることができる。
【００２８】
ｐＨ調整剤は、染着除去効果をより高めるために配合してもよい。ｐＨ調整剤は、上述した（Ｂ）成分以外の成分であって、適宜公知のものから選択される。ｐＨ調整剤の具体例としては、例えば無機酸、有機酸とその塩、アンモニア、アルカノールアミン、ケイ酸塩、炭酸塩、炭酸水素塩、メタケイ酸塩、硫酸塩、塩化物、リン酸塩、塩基性アミノ酸等が挙げられる。有機酸としては、例えばグリコール酸、コハク酸、乳酸、レブリン酸、酢酸、酪酸、吉草酸、シュウ酸、フマル酸、マンデル酸等が挙げられる。有機酸塩の具体例としては、例えばナトリウム塩、カリウム塩、アンモニウム塩等が挙げられる。これらは一種類のみであってもよいし、二種類以上を組み合わせて使用してもよい。
【００２９】
染着除去剤のｐＨの上限は、２５℃において酸性側（ｐＨ７未満）に設定され、好ましくはｐＨ５以下、より好ましくはｐＨ４以下である。染着除去剤のｐＨを酸性側に設定することにより、染着除去効果をより高めることができる。染着除去剤のｐＨの下限は、適宜設定されるが、好ましくは２５℃においてｐＨ０．５以上、より好ましくはｐＨ１以上である。ｐＨ０．５以上に規定することにより、除染対象物の損傷をより抑制することができる。
【００３０】
本実施形態の染着除去剤は、必要に応じて、染着除去剤に一般的に含有され、且つ前述した各成分の作用を阻害しない各成分を含有してもよい。その他成分としては、例えば可溶化剤、上記以外の界面活性剤、増粘剤、防腐剤、安定剤、香料、酸化防止剤、キレート化剤、紫外線吸収剤、シリコーン類等が挙げられる。
【００３１】
可溶化剤は、例えば、染着除去剤を液状にする場合に配合される。使用される可溶化剤の例としては、例えば水及び有機溶媒（溶剤）が挙げられる。有機溶媒の具体例としては、例えばエタノール、ｎ−プロパノール、イソプロパノール、メチルセロソルブ、エチルセロソルブ、メチルカルビトール、エチルカルビトール、ベンジルアルコール、フェネチルアルコール、γ−フェニルプロピルアルコール、ケイ皮アルコール、アニスアルコール、ｐ−メチルベンジルアルコール、α−ジメチルフェネチルアルコール、α−フェニルエタノール、フェノキシエタノール、フェノキシイソプロパノール、２−ベンジルオキシエタノール、Ｎ−アルキルピロリドン、炭酸アルキレン、及びアルキルエーテルが挙げられる。これらの可溶化剤のうち、一種のみが単独で含有されてもよいし、二種以上が組み合わされて含有されてもよい。これらの中で、染着除去剤中の成分を溶解する能力に優れ、除染対象物の損傷をより抑制できる観点から水が好ましく使用される。
【００３２】
界面活性剤としては、両性界面活性剤が挙げられる。両性界面活性剤の具体例としては、例えばココベタイン、ラウラミドプロピルベタイン、コカミドプロピルベタイン、ラウロアンホ酢酸ナトリウム、ココアンホ酢酸ナトリウム、ヤシ油脂肪酸アミドプロピルベタイン、ラウリルベタイン（ラウリルジメチルアミノ酢酸ベタイン）等が挙げられる。
【００３３】
増粘剤は、染着除去剤に適度な粘度を与える。増粘剤の具体例としては、例えば天然高分子、半合成高分子、合成高分子、無機物系高分子、モンモリロナイトやベントナイト等の粘土鉱物、ジアルキルアンモニウム塩等の第４級アンモニウム塩等が挙げられる。防腐剤の具体例としては、例えばパラベン等が挙げられる。安定剤の具体例としては、例えばフェナセチン、８−ヒドロキシキノリン、アセトアニリド、ピロリン酸ナトリウム、バルビツール酸、尿酸、タンニン酸等が挙げられる。酸化防止剤の具体例としては、例えばアスコルビン酸、亜硫酸塩等が挙げられる。キレート化剤の具体例としては、例えばエデト酸（エチレンジアミン四酢酸（ＥＤＴＡ））、エデト酸二ナトリウム、エデト酸四ナトリウム、ジエチレントリアミン五酢酸及びその塩類、エチレンジアミンヒドロキシエチル三酢酸及びその塩類、ヒドロキシエタンジホスホン酸（ＨＥＤＰ）及びその塩類等が挙げられる。
【００３４】
染着除去剤の剤型は特に限定されず、具体例として、例えば液状、ゲル状、フォーム状、クリーム状等が挙げられる。液状としては、例えば水溶液、分散液等が挙げられる。また、保存安定性の向上の観点から、染着除去剤を固体状で保存し、使用直前に水等の可溶化剤と混合するよう構成してもよい。染着除去剤が液状の場合、染着除去剤の粘度は、特に限定されないが、除染対象物への付着性、塗布性、取扱い性等の観点から好ましくは１〜１００ｍＰａ・ｓの範囲に調整される。なお、染着除去剤の粘度は、２５℃において６０ｒｐｍ、１号ロータを使用して測定した。
【００３５】
次に、本実施形態の染着除去剤の使用方法について説明する。
上記のように構成された染着除去剤は、ヘアカラーリング剤により染着（汚染）された除染対象物の染着部（汚染部）に付着させる工程、次に１分以上放置した後、水洗いする工程を経ることにより使用される。放置時間の下限は、優れた染着除去効果を発揮する観点から１分以上であれば特に限定されないが、好ましくは５分以上、より好ましくは１０分以上である。放置時間の上限は、特に限定されないが、染着除去効率及び除染対象物の損傷抑制の観点から好ましくは２４０分以下、より好ましくは１８０分以下である。
【００３６】
ヘアカラーリング剤の種類は、特に限定されず、公知のものが適用対象となる。例えば、酸化染料を使用する永久染毛剤、直接染料を含有する半永久染毛料、顔料等の着色剤を含有する一時染毛料（毛髪着色料）等が挙げられる。
【００３７】
酸化染料を使用する永久染毛剤としては、例えば、少なくともアルカリ剤及び酸化染料を含有する第１剤、少なくとも酸化剤を含有する第２剤を含む多剤式酸化染毛剤として構成される。通常、この染毛剤は、第１剤及び第２剤を混合して混合物を得た後、毛髪の染毛のために毛髪に適用される。
【００３８】
アルカリ剤は、第２剤に含有される酸化剤の作用を促進することにより、毛髪の脱色効果等を向上する働きをする。使用されるアルカリ剤としては、例えばアンモニア、アルカノールアミン、ケイ酸塩、炭酸塩、炭酸水素塩、メタケイ酸塩、硫酸塩、塩化物、リン酸塩、有機アミン、塩基性アミノ酸等が挙げられる。
【００３９】
酸化染料は、第２剤に配合される酸化剤による酸化重合に起因して発色可能な化合物であり、染料中間体及びカプラーに分類される。酸化染料は少なくとも染料中間体を含んでいる。
【００４０】
染料中間体としては、例えばｐ−フェニレンジアミン、トルエン−２，５−ジアミン（パラトルイレンジアミン）、Ｎ−フェニル−ｐ−フェニレンジアミン、４，４'−ジアミノジフェニルアミン、ｐ−アミノフェノール、ｏ−アミノフェノール、ｐ−メチルアミノフェノール、Ｎ，Ｎ−ビス（２−ヒドロキシエチル）−ｐ−フェニレンジアミン、２−ヒドロキシエチル−ｐ−フェニレンジアミン、ｏ−クロル−ｐ−フェニレンジアミン、４−アミノ−ｍ−クレゾール、２−アミノ−４−ヒドロキシエチルアミノアニソール、２，４−ジアミノフェノール、及びそれらの塩が挙げられる。これらの具体例の内、一種のみが単独で含有されてもよいし、二種以上が組み合わされて含有されてもよい。
【００４１】
カプラーは、染料中間体と結合することにより発色する。カプラーとしては、例えばレゾルシン、５−アミノ−ｏ−クレゾール、ｍ−アミノフェノール、α−ナフトール、５−（２−ヒドロキシエチルアミノ）−２−メチルフェノール、ｍ−フェニレンジアミン、２，４−ジアミノフェノキシエタノール、トルエン−３，４−ジアミン、２，６−ジアミノピリジン、ジフェニルアミン、Ｎ，Ｎ−ジエチル−ｍ−アミノフェノール、フェニルメチルピラゾロン、及びそれらの塩が挙げられる。これらの具体例の内、一種のみが単独で含有されてもよいし、二種以上が組み合わされて含有されてもよい。酸化染料は、毛髪の色調を様々に変化させることができることから、好ましくは、染料中間体の前記具体例の中から選ばれる少なくとも一種と、カプラーの前記具体例の中から選ばれる少なくとも一種とから構成される。第１剤は、前記酸化染料以外の染料として、例えば「医薬部外品原料規格」（２００６年６月発行、薬事日報社）に収載された酸化染料、及び直接染料から選ばれる少なくとも一種を適宜含有してもよい。
【００４２】
これらの酸化染料の中で、ｐ−フェニレンジアミン、又はトルエン−２，５−ジアミン（パラトルイレンジアミン）を含むヘアカラーリング剤由来の染着に適用されることが好ましい。
【００４３】
第２剤に含有される酸化剤は、毛髪に含まれるメラニンの脱色性をより向上させる。酸化剤の具体例としては、上述した（Ｃ）成分と同様の具体例を適用することができる。第１剤及び第２剤は、必要に応じて、その他の公知の添加剤、例えば可溶化剤、水溶性高分子化合物、油性成分、多価アルコール、界面活性剤、糖、防腐剤、安定剤、上記以外のｐＨ調整剤、香料、酸化防止剤、紫外線吸収剤、キレート化剤等をさらに含有してもよい。
【００４４】
直接染料を含有する半永久染毛料は、少なくとも直接染料を含有しており、例えば浸透促進剤、可溶化剤等を更に含有してもよい。直接染料は、毛髪を染色する染毛料として配合される。直接染料は、反応性がなく、それ自体で発色可能なものを示す。直接染料の具体例は、例えば、酸性染料、ニトロ染料、塩基性染料（カチオン染料）、分散染料等が挙げられる。
【００４５】
酸性染料の具体例は、例えば赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、橙色２０５号、橙色２０７号、橙色４０２号、緑色３号、緑色２０４号、緑色２０５号、緑色４０１号、緑色４０２号、紫色４０１号、青色１号、青色２号、青色２０２号、青色２０３号、青色２０５号、褐色２０１号、黒色４０１号、アシッドブルー１、アシッドブルー３、アシッドブルー６２、アシッドブラック５２、アシッドブラウン１３、アシッドグリーン５０、アシッドオレンジ６、アシッドレッド１４、アシッドレッド３５、アシッドレッド７３、アシッドレッド１８４、ブリリアントブラック１等が挙げられる。
【００４６】
ニトロ染料の具体例は、例えば４−ニトロ−ｏ−フェニレンジアミン、２−ニトロ−ｐ−フェニレンジアミン、２−アミノ−４−ニトロフェノール、２−アミノ−５−ニトロフェノール、ピクラミン酸、ピクリン酸、及びそれらの塩、HC Blue No.2、HC Blue No.4、HC Blue No.5、HC Blue No.6、HC Blue No.8、HC Blue No.9、HC Blue No.10、HC Blue No.11、HC Blue No.12、HC Blue No.13、HC Blue No.14、HC Brown No.1、HC Brown No.2、HC Green No.1、HC Orange No.1、HC Orange No.2、HC Orange No.3、HC Orange No.5、HC Red No.1、HC Red No.3、HC Red No.7、HC Red No.8、HC Red No.9、HC Red No.10、HC Red No.11、HC Red No.13、HC Red No.14、HC Violet No.1、HC Violet No.2、HC Yellow No.4、HC Yellow No.5、HC Yellow No.6、HC Yellow No.7、HC Yellow No.8、HC Yellow No.9、HC Yellow No.10、HC Yellow No.11、HC Yellow No.12、HC Yellow No.13、HC Yellow No.14、HC Yellow No.15等が挙げられる。
【００４７】
塩基性染料（カチオン染料）の具体例は、例えば赤色２１３号、赤色２１４号、Basic Blue 3、Basic Blue 6、Basic Blue 7、Basic Blue 9、Basic Blue 26、Basic Blue 41、Basic Blue 75、Basic Blue 99、Basic Brown 4、Basic Brown 16、Basic Brown 17、Basic Brown 1、Basic Brown 4、Basic Orange 1、Basic Orange 2、Basic Red 1、Basic Red 2、Basic Red 22、Basic Red 46、Basic Red 51、Basic Red 76、Basic Red 118、Basic Violet 1、Basic Violet 2、Basic Violet 3、Basic Violet 4、Basic Violet 10、Basic Violet 11:1、Basic Violet 14、Basic Violet 16、Basic Yellow 11、Basic Yellow 28、Basic Yellow 57等が挙げられる。
【００４８】
分散染料の具体例は、例えばDisperse Black 9、Disperse Blue 1、Disperse Blue 3、Disperse Blue 7、Disperse Brown 4、Disperse Orange 3、Disperse Red 11、Disperse Red 15、Disperse Red 17、Disperse Violet 1、Disperse Violet 4、Disperse Violet 15等が挙げられる。
【００４９】
直接染料としては、１−アミノ−４−メチルアントラキノン、１，４−ジアミノアントラキノン、及びそれらの塩、並びに「医薬品等に使用することができるタール色素を定める省令」（昭和４１年告示、厚生省）により定められた直接染料を用いてもよい。これらは一種類のみであってもよいし、二種類以上を組み合わせて使用してもよい。
【００５０】
浸透促進剤は、直接染料の染毛力を向上させるために配合してもよい。浸透促進剤としては、例えば炭素数４〜８の一価アルコール、エチレングリコールアルキルエーテル、芳香族アルコール、環状アルコール、及び低級アルキレンカーボネートが挙げられる。可溶化剤は、例えば、毛髪化粧料組成物を液状にする場合に配合される。使用される可溶化剤の例としては、例えば水及び有機溶媒（溶剤）が挙げられる。また、直接染料の染毛力を向上させる観点から、有機溶剤を配合してもよい。有機溶剤の具体例としては、例えば炭素数１〜３の一価アルコール（低級アルコール）、多価アルコールとしてのグリコール類及びグリセリン類、並びにジエチレングリコール低級アルキルエーテルが挙げられる。半永久染毛料は、必要に応じて、上述したその他の添加剤を適宜配合してもよい。
【００５１】
一時染毛料組成物は、顔料等の着色剤の他、好ましくは樹脂、可溶化剤等が配合される。一時染毛料組成物は、酸化染料が配合される永久染毛剤、直接染料が配合される半永久染毛料と異なり、顔料等の着色剤が毛髪表面に付着・被覆することにより着色する。着色剤は、例えば無機顔料、有機顔料、染料樹脂固溶体、昼光蛍光顔料、天然顔料等の顔料が使用される。無機顔料としては、例えば酸化亜鉛、酸化チタン、ベンガラ、酸化クロム、酸化コバルト、黒酸化鉄、黄酸化鉄、水酸化クロム、水酸化アルミニウム、紺青、硫酸バリウム、含水珪酸塩、無水珪酸、珪酸アルミニウム、タルク、カオリン、カルミン、雲母、炭酸マグネシウム、ベントナイト、群青、マンガンバイオレット、カーボンブラック、アルミニウム、銅、金、雲母チタン等が挙げられる。有機顔料としては、例えば赤色２０２、２０３、２０４、２０５、２０６、２０７、２０８、２１９、２２０、２２１、２２８、４０４、４０５の各号、だいだい色２０３、２０４、４０１の各号、黄色２０５、４０１の各号、青色４０４号等が挙げられる。天然顔料としては、例えばクレー等の鉱物顔料、マダーレーキやコチニールレーキ等の天然染料レーキ、アゾ顔料、フタロシアニン顔料等が挙げられる。これらの顔料は、単独種類で配合してもよいし、二種以上を組み合わせて配合してもよい。
【００５２】
樹脂としては、例えばカチオン性樹脂、両性樹脂、アニオン性樹脂、非イオン性樹脂等が挙げられる。より具体的には、ポリビニルピロリドン系高分子化合物、酢酸ビニルエーテル系高分子化合物、酸性ポリ酢酸ビニル系高分子化合物、酸性アクリル系高分子化合物、塩基性アクリル系高分子化合物、両性アクリル系高分子化合物等を挙げることができる。一時染毛料組成物は、必要に応じて、上述したその他の添加剤を適宜配合してもよい。
【００５３】
除染対象物としては、生体以外であれば特に限定されず、ヘアカラーリング剤が付着し、除染の必要のある対象物に適用される。例えば、衣服や帽子等の衣類、枕や布団カバー等の寝具、タオルやハンカチ等の布製品、ヘアカラーリングの際に使用する刷毛や容器等の染毛具、カチューシャ等の毛髪に取り付ける装身具、絨毯、畳、カーペット、フローリング、櫛、ヘアブラシ、洗面台や浴槽等の水回り等が挙げられる。除染対象物の素材としては、特に限定されず、天然繊維、半合成繊維、合成繊維等の繊維素材、スウェード、不織布、フィルム、合成樹脂の成形体、セラミックス、木製素材等が挙げられる。
【００５４】
次に、本実施形態の染着除去剤の作用について説明する。
本実施形態の染着除去剤は、（Ａ）特定の界面活性剤及び（Ｂ）特定の酸を含んで構成されるため、優れた染着除去効果を発揮することができる。従来、次亜塩素酸のアルカリ金属塩を主成分として含有する漂白剤は、漂白力が強く、漂白処理により、衣類等の染色を痛めるおそれがあった。また、従来、過酸化水素を主成分として含有する漂白剤は、漂白力が弱く、例えば衣類等に付着したヘアカラーリング剤由来の染着を十分に除染することができないという問題があった。本実施形態の染着除去剤は、上述した成分により、除染対象物の損傷を抑制しながら、優れた染着除去効果を発揮することができる。
【００５５】
本実施形態の染着除去剤によれば、以下のような効果を得ることができる。
（１）本実施形態の染着除去剤は、優れた染着除去効果を発揮することができる。
（２）本実施形態の染着除去剤は、（Ａ）特定の界面活性剤及び（Ｂ）特定の酸を含んで構成されるため、除染対象物の損傷を抑制することができる。
【００５６】
（３）本実施形態の染着除去剤は、（Ａ）特定の界面活性剤及び（Ｂ）特定の酸を含んで構成されるため、従来構成に比べて生体への適用性及び取り扱い性をより向上させることができる。
【００５７】
（４）本実施形態の染着除去剤は、好ましくは繊維素材又は衣類に適用される。本実施形態の染着除去剤は、繊維素材又は衣類に対して優れた浸透性を発揮するため、繊維素材又は衣類に対して短時間に優れた染着除去効果を発揮することができる。
【００５８】
なお、上記実施形態は以下のように変更してもよい。
・上記実施形態は、本発明の効果を阻害しない範囲内において次亜塩素酸のアルカリ金属塩を少量添加することを妨げるものではない。次亜塩素酸のアルカリ金属塩は、除染対象物の損傷をより抑制する観点から、０．１質量％未満が好ましく、配合しない方がより好ましい。
【００５９】
・上記実施形態において、染着除去剤を構成する各成分を全て配合する１剤式として構成した。しかしながら、成分の安定性をより向上させる観点から各成分を分離して複数剤式に構成し、使用直前にそれらを混合するよう構成してもよい。
【００６０】
・上記実施形態の染着除去剤を充填する容器は、特に限定されず、公知の容器に充填して保存又は使用することができる。例えば、ペン型、滴下型、スプレー型、泡吐出型等を挙げることができる。
【００６１】
・上記実施形態において、除染対象物が、洗濯機を用いた洗濯が可能な製品の場合、染着除去剤を付着してから１分以上放置した後、本発明の効果を阻害しない範囲内において、公知の衣類用洗剤も使用して洗濯機で洗濯処理してもよい。その他、上記実施形態の染着除去剤は、本発明の効果を阻害しない範囲内において、各除染対象物に適した公知の洗剤と併用してもよい。
【実施例】
【００６２】
次に、実施例及び比較例を挙げて前記実施形態を更に具体的に説明する。尚、本発明は、実施例欄記載の構成に限定されるものではない。
＜試験例１：酸化染毛剤由来の染着に対する除染効果＞
表１，２に示す各成分を含有する、染着除去剤を調製した。表１，２における各成分を示す欄中の数値は当該欄の成分の含有量を示し、その単位は質量％である（以下、表３も同じ）。
【００６３】
まず、永久染毛剤としての酸化染毛剤組成物（ホーユー社製：メンズビゲンワンプッシュ７番）の第１剤と第２剤を、製品の処方に従い、混合し、混合液を調製した。次に、綿７０％及びポリエステル３０％の繊維からなる白色の生地に、混合液０．３ｇを９ｃｍ２の範囲に付着させ、１０分放置後、手で水洗いし、自然乾燥させることにより、ヘアカラーリング剤により染着（汚染）された除染対象物を得た。次に、除染対象物の染着箇所に、各例の染着除去剤を１．５ｍＬをスポイトで滴下させ、下記に示される基準に従い、浸透性について評価した。その後、乾燥を防ぐために同成分で浸漬した同じ種類の生地に挟み込み、２時間放置し、手で水洗いし、自然乾燥させた。各染着除去剤を用いて除染された除染箇所について、下記に示される基準に従い、染着除去効果について評価した。また、併せて、上記と別の生地を使用し、下記に示される基準に従い、素材の損傷についても評価した。
【００６４】
表中「成分」欄における（Ａ）〜（Ｃ）の表記は、本願請求項記載の各成分に対応する化合物を示す。一方、表中「成分」欄における「ｂ」の表記は、本願請求項記載の各成分の対比化合物を示す。
【００６５】
＜浸透性＞
１０名のパネラーが各染着除去剤を除染対象物の染着箇所に滴下させた際、生地内部への浸透性について、優れる（５点）、良好（４点）、可（３点）、やや不良（２点）、及び不良（１点）の５段階で採点した。各パネラーの採点結果について平均値を算出し、平均値が４．６点以上を「優れる：５」、３．６点以上４．６点未満を「良好：４」、２．６点以上３．６点未満を「可：３」、１．６点以上２．６点未満を「やや不良：２」、及び１．６点未満を「不良：１」とし、評価結果とした。結果を表１，２に示す。
【００６６】
＜染着除去効果＞
１０名のパネラーが各染着除去剤を用いて除染された除染箇所について、標準光源下で目視にて観察し、染着除去効果に優れる（５点）、良好（４点）、可（３点）、やや不良（２点）、及び不良（１点）の５段階で採点した。各パネラーの採点結果について平均値を算出し、平均値が４．６点以上を「優れる：５」、３．６点以上４．６点未満を「良好：４」、２．６点以上３．６点未満を「可：３」、１．６点以上２．６点未満を「やや不良：２」、及び１．６点未満を「不良：１」とし、評価結果とした。結果を表１，２に示す。
【００６７】
＜素材の損傷＞
まず、綿１００％の繊維からなり、インディゴ染料により紫色に染色されている生地に、各例の染着除去剤１．５ｍＬをスポイトで滴下させた。その後、乾燥を防ぐために同成分で浸漬させた同じ種類の生地に挟み込み、２時間放置し、手で水洗いし、自然乾燥させた。各染着除去剤を滴下させた箇所について、下記に示される基準に従い、素材の損傷について評価した。
【００６８】
１０名のパネラーが各染着除去剤を滴下させた箇所の色の変化（色落ち）の抑制又は繊維の損傷の抑制について、標準光源下で目視にて観察し、優れる（５点）、良好（４点）、可（３点）、やや不良（２点）、及び不良（１点）の５段階で採点した。各パネラーの採点結果について平均値を算出し、平均値が４．６点以上を「優れる：５」、３．６点以上４．６点未満を「良好：４」、２．６点以上３．６点未満を「可：３」、１．６点以上２．６点未満を「やや不良：２」、及び１．６点未満を「不良：１」とし、評価結果とした。結果を表１，２に示す。
【００６９】
【表１】
2017066250.tif 000003
【００７０】
【表２】
2017066250.tif 000004
表１，２に示されるように、各実施例は、各評価項目のいずれも可以上であることが確認された。表２に示されるように、（Ａ）成分を含有しない比較例１は、各実施例に対し染着除去効果及び浸透性の評価が低いことが分った。（Ｂ）成分を含有しない比較例２は、各実施例に対し染着除去効果の評価が低いことが分った。（Ｂ）成分の代わりに１価のヒドロキシ酸であるグリコール酸を含有する比較例３、又は１価のカルボン酸である酢酸を含有する比較例４は、各実施例に対し染着除去効果の評価が低いことが分った。染着除去剤のｐＨが７を超える比較例５は、各実施例に対し染着除去効果の評価が低いことが分った。（Ｂ）成分の含有量が１０質量％未満の比較例６は、各実施例に対し染着除去効果の評価が低いことが分った。（Ａ）成分及び（Ｂ）成分の代わりに過酸化水素を含有する比較例７は、各実施例に対し染着除去効果及び浸透性の評価が低いことが分った。
【００７１】
＜試験例２：直接染料由来の染着に対する除染効果＞
表３に示す各成分を含有する、染着除去剤を調製した。除染対象物を染着するヘアカラーリング剤として直接染料を含有するカラートリートメント剤（ホーユー社製のシエロカラートリートメント（ダークブラウン））を使用した。カラートリートメント剤の使用方法は、製品の処方に従った。その他は、試験例１と同様に処理し、試験例１と同様の評価方法により素材の損傷、染着除去効果、及び浸透性について評価した。結果を表３に示す。
【００７２】
【表３】
2017066250.tif 000005
表３に示されるように、各実施例は、各評価項目のいずれも良好以上であることが確認された。特に、リパーゼを含有する実施例２４は、直接染料由来の染着に対する除去効果により優れることが確認された。表３に示されるように、（Ａ）成分を含有しない比較例８は、各実施例に対し染着除去効果の評価が低いことが分った。（Ｂ）成分を含有しない比較例９は、各実施例に対し染着除去効果の評価が低いことが分った。